(57)【要約】      （修正有）【課題】光ファイバの異常を検出する精度が低下することを抑制できる光ファイバ装置を提供する。【解決手段】光ファイバ装置は、第１の光Ｌ１と、第１の光の波長と異なる波長である第２の光Ｌ２とが、第１の面３１ａに入射される少なくとも一つの光ファイバ３１と、第２の光Ｌ２を検出する検出部４３と、を備え、光ファイバ３１は、第１の光Ｌ１を透過し且つ第２の光Ｌ２を反射する反射部３１ｃを第２の面３１ｂに備え、検出部４３は、反射部３１ｃで反射し且つ第１の面３１ａから出射する第２の光Ｌ２を検出する。【選択図】図３
2016071040.tif 000002
【特許請求の範囲】
【請求項１】
第１の光と、前記第１の光の波長と異なる波長である第２の光とが、第１の面に入射される少なくとも一つの光ファイバと、
前記第２の光を検出する検出部と、を備え、
前記光ファイバは、前記第１の光を透過し且つ前記第２の光を反射する反射部を第２の面に備え、
前記検出部は、前記反射部で反射し且つ前記第１の面から出射する前記第２の光を検出する光ファイバ装置。
【請求項２】
複数の前記光ファイバの前記第２の面側同士を結束する結束部を備え、
前記検出部は、前記光ファイバの前記第１の面から出射する前記第２の光を、各光ファイバごとに検出するために、複数備えられる請求項１に記載の光ファイバ装置。
【請求項３】
前記第１の光は、可視光であって、
前記第２の光は、前記第１の光の波長よりも長い波長である赤外光である、請求項１又は２に記載の光ファイバ装置。
【請求項４】
前記第１の光を出射する第１の光源部と、
前記第２の光を出射する第２の光源部と、を備える請求項１〜３の何れか１項に記載の光ファイバ装置。
【請求項５】
電気回路を有する基板を備え、
前記第１の光源部は、前記第１の光を出射する半導体レーザを備え、
前記第２の光源部は、前記第２の光を出射する半導体レーザを備え、
前記検出部は、前記第２の光を受ける受光素子を備え、
前記各半導体レーザと前記受光素子とは、同一の基板に搭載される請求項４に記載の光ファイバ装置。
【請求項６】
前記光ファイバの前記反射部を透過した前記第１の光を、投射光として用いる画像投影装置である請求項１〜５の何れか１項に記載の光ファイバ装置。
【発明の詳細な説明】
【技術分野】
【０００１】
本発明は、光ファイバを備える光ファイバ装置に関する。
【背景技術】
【０００２】
従来、光ファイバを備える光ファイバ装置として、互いに波長の異なる第１の光と第２の光とが光ファイバの第１の面に入射される光ファイバ装置が、知られている（例えば、特許文献１）。該光ファイバ装置は、光ファイバの第２の面から出射された第１及び第２の光のうち、第２の光のみを反射部材で反射し、反射部材で反射した第２の光を検出している。
【０００３】
反射部材で反射された第２の光は、光ファイバの第２の面から入射して第１の面から出射した後に、検出されている。そして、検出される光に基づいて、例えば、光ファイバの折れ、光ファイバの劣化、光ファイバの脱落等といった光ファイバの異常を検出することができる。
【０００４】
ところで、特許文献１に係る光ファイバ装置においては、光ファイバの第２の面から出射した光が、反射部材で反射されて、再び光ファイバの第２の面に入射されるまでに、外乱の影響（例えば、反射部材の劣化等）を受けることがある。斯かる場合、検出される光の精度が低下するため、光ファイバの異常を検出する精度が低下する。
【先行技術文献】
【特許文献】
【０００５】
【特許文献１】特表平０５−５０５２５０号公報
【発明の概要】
【発明が解決しようとする課題】
【０００６】
よって、本発明は、斯かる事情に鑑み、光ファイバの異常を検出する精度が低下することを抑制できる光ファイバ装置を提供することを課題とする。
【課題を解決するための手段】
【０００７】
本発明に係る光ファイバ装置は、第１の光と、前記第１の光の波長と異なる波長である第２の光とが、第１の面に入射される少なくとも一つの光ファイバと、前記第２の光を検出する検出部と、を備え、前記光ファイバは、前記第１の光を透過し且つ前記第２の光を反射する反射部を第２の面に備え、前記検出部は、前記反射部で反射し且つ前記第１の面から出射する前記第２の光を検出する。
【発明の効果】
【０００８】
以上の如く、本発明に係る光ファイバ装置は、光ファイバの異常を検出する精度が低下することを抑制できる、という優れた効果を奏する。
【図面の簡単な説明】
【０００９】
【図１】一実施形態に光ファイバ装置の全体概略構成図である。
【図２】同実施形態に係る光ファイバ装置の要部概略構成図であって、光ファイバの第１の面に入射される光を説明する図である。
【図３】同実施形態に係る光ファイバ装置の要部概略構成図であって、光ファイバの反射部に入射される光を説明する図である。
【図４】他の実施形態に係る光ファイバ装置の要部概略構成図であって、光ファイバの第１の面に入射される光を説明する図である。
【図５】同実施形態に係る光ファイバ装置の要部概略構成図であって、光ファイバの反射部に入射される光を説明する図である。
【発明を実施するための形態】
【００１０】
＜第１実施形態＞
以下、光ファイバ装置における第１の実施形態について、図１〜図３を参酌して説明する。なお、各図（図４及び図５も同様）において、図面の寸法比と実際の寸法比とは、必ずしも一致していない。
【００１１】
図１に示すように、本実施形態に係る光ファイバ装置１は、画像投影装置である。光ファイバ装置１は、それぞれ異なる色の光を出射する複数（本実施形態においては３つ）の光源装置２（２Ｒ，２Ｇ，２Ｂ）と、光源装置２から出射された光が入射される光ファイバユニット３とを備えている。該光ファイバユニット３は、二つの光ファイバ３１，３１を備えており、該二つの光ファイバ３１，３１の他方側で結束される構造、所謂、バンドル構造である。
【００１２】
光ファイバ装置１は、光ファイバユニット３から出射された光で光画像を生成してスクリーン１００に投影する画像投影部１０を備えている。また、光ファイバ装置１は、各部２，１０に電気を供給する電源１１と、各部２，１０を制御する制御部１２とを備えている。
【００１３】
光源装置２は、第１の色（例えば、赤色）の光を出射する第１の光源装置２Ｒと、第２の色（例えば、緑色）の光を出射する第２の光源装置２Ｇと、第３の色（例えば、青色）の光を出射する第３の光源装置２Ｂとを備えている。本実施形態においては、画像投影部１０は、複数の光源装置２と複数の光ファイバユニット３とにより、第１〜第３の色の光を分離した状態で、入射されている。
【００１４】
光源装置２は、光を出射する二つの光源ユニット４，４と、各光源ユニット４を収容する本体部５とを備えている。該本体部５は、光ファイバユニット３の光ファイバ３１の一方側の端部と接続する接続部５ａ，５ａを備えている。なお、光源装置２は、光源ユニット４を一つ又は三つ以上備えている、という構成でもよい。
【００１５】
画像投影部１０は、各光源装置２から出射された光が光ファイバユニット３を経由して入射されて光画像を生成する画像光学系１３と、画像光学系１３から出射された光画像を入射してスクリーン１００に投影する投影光学系（例えば、投影レンズ）１４とを備えている。また、画像投影部１０は、各光学系１３，１４を収容する画像投影本体部１５を備えている。該画像投影本体部１５は、各光ファイバユニット３の光ファイバ３１の他方側の端部と接続する複数の接続部１５ａを備えている。
【００１６】
画像光学系１３は、光源装置２から出射された光のうち所定の偏光成分のみを透過する偏光ビームスプリッタ１３ａと、偏光ビームスプリッタ１３ａから出射された光を変調することで光画像にする空間変調素子１３ｂと、各空間変調素子１３ｂで透過された光を合成するダイクロイックプリズム１３ｃとを備えている。また、画像光学系１３は、各光ファイバ３１から出射された光を平行光にするコリメータレンズ１３ｄと、第１及び第３の光源装置２Ｒ，２Ｂから出射されたレーザ光を反射する反射ミラー１３ｅとを備えている。
【００１７】
本実施形態においては、各空間変調素子１３ｂは、透過型液晶素子としている。なお、画像光学系１３は、反射型液晶素子又はデジタルマイクロミラーデバイスである空間変調素子１３ｂを備える、という構成でもよい。
【００１８】
図２及び図３に示すように、光源ユニット４は、第１の光Ｌ１を出射する第１の光源部４１と、第２の光Ｌ２を出射する第２の光源部４２と、第２の光Ｌ２を検出する検出部４３と、電気回路を有する基板４４とを備えている。また、光源ユニット４は、各光源部４１，４２及び検出部４３と、光ファイバユニット３との間に配置される光学系４５を備えている。
【００１９】
本実施形態においては、第１の光Ｌ１は、可視光である。例えば、第１の光源装置２Ｒにおける第１の光源部４１は、波長が５９０〜６９３ｎｍである光を出射し、第２の光源装置２Ｇにおける第１の光源部４１は、波長が４９８〜５８０ｎｍである光を出射し、第３の光源装置２Ｂにおける第１の光源部４１は、波長が４１０〜４９６ｎｍである光を出射している。図２及び図３（図４及び図５も同様）において、第１の光Ｌ１は、二点鎖線で示している。
【００２０】
第２の光Ｌ２は、第１の光Ｌ１の波長よりも長い波長としている。本実施形態においては、第２の光Ｌ２は、赤外光である。例えば、各光源装置２における第２の光源部４２は、波長が１２００〜２０００ｎｍである光を出射している。図２及び図３（図４及び図５も同様）において、第２の光Ｌ２は、破線で示している。
【００２１】
第１の光源部４１は、第１の光Ｌ１を出射する複数（図２及び図３においては、三つ）の半導体レーザ４１ａを備えている。第２の光源部４２は、第２の光Ｌ２を出射する半導体レーザ４２ａを備えている。検出部４３は、第２の光Ｌ２を受ける受光素子４３ａを備えている。そして、各半導体レーザ４１ａ，４２ａと受光素子４３ａとは、同一の基板４４に搭載されている。
【００２２】
光学系４５は、各半導体レーザ４１ａ，４２ａが出射した光Ｌ１，Ｌ２を平行な光にする複数のコリメータレンズ４５ａと、コリメータレンズ４５ａから出射された光Ｌ１，Ｌ２を反射する複数の反射ミラー４５ｂと、反射ミラー４５ｂで反射された光Ｌ１，Ｌ２を収束させて光ファイバ３１の第１の面３１ａに入射させる収束レンズ４５ｃとを備えている。また、光学系４５は、受光素子４３ａに向けて光Ｌ２を反射する反射ミラー４５ｄを備えている。
【００２３】
光ファイバユニット３は、複数の光ファイバ３１，３１の他方側、即ち、第２の面３１ｂ側同士を結束する結束部３２を備えている。また、光ファイバ３１は、第２の面３１ｂに、第１の光Ｌ１を透過し且つ第２の光Ｌ２を反射する反射部３１ｃを備えている。例えば、反射部３１ｃは、真空蒸着又はスパッタにより、赤外光反射膜を、光ファイバ３１の第２の面３１ｂに形成されて成る。
【００２４】
本実施形態に係る光ファイバ装置１の構成については以上の通りであり、次に、本実施形態に係る光ファイバ装置１の光ファイバ３１の異常を検出する方法について、図２及び図３を参酌して、説明する。
【００２５】
図２に示すように、各第１の光源部４１から出射された第１の光Ｌ１と、第２の光源部４２から出射された第２の光Ｌ２とは、光学系４５を経由して、光ファイバ３１の第１の面３１ａに入射される。そして、光ファイバ３１に入射された光Ｌ１，Ｌ２は、光ファイバ３１の内部を伝搬され、光ファイバ３１の第２の面３１ｂに配置される反射部３１ｃに到達する。
【００２６】
このとき、図３に示すように、第１の光Ｌ１は、反射部３１ｃを透過し、画像投影部１０に向けて出射する。即ち、画像投影装置である光ファイバ装置１は、光ファイバ３１の反射部３１ｃを透過した第１の光Ｌ１を、投射光として用いている。
【００２７】
一方、第２の光Ｌ２は、反射部３１ｃで反射され、光ファイバ３１の第１の面３１ａから出射される。その後、該第２の光Ｌ２は、収束レンズ４５ｃを透過し、該透過した第２の光Ｌ２の一部は、反射ミラー４５ｄで反射された後、検出部４３で受光される。なお、本実施形態においては、検出部４３は、収束レンズ４５ｃの光軸の辺り（中心部分辺り）を透過した第２の光Ｌ２を検出している。
【００２８】
これにより、光ファイバ３１が折れたり、光ファイバ３１が劣化したり、光ファイバユニット３の光ファイバ３１の一方側（第１の面３１ａ側）の端部が、本体部５の接続部５ａから外れたりした場合には、検出部４３で検出する第２の光Ｌ２の光量が低下する。したがって、このような光ファイバ３１の異常を検出することができる。
【００２９】
なお、制御部１２は、検出部４３で検出する第２の光Ｌ２の光量に基づいて、光ファイバ３１の正常又は異常を判定する。そして、制御部１２は、光ファイバ３１が異常であると判定した際に、電源１１が各光源部４１，４２に電気を供給することを停止するように、電源１１を制御すると共に、外部へ出力（警報出力、表示出力）する。
【００３０】
また、図２及び図３において図示していないが、検出部４３は、複数備えられている。具体的には、検出部４３は、各光源ユニット４ごとに備えられている。これにより、各光ファイバ３１ごとに、光ファイバ３１の異常を検出することができる。
【００３１】
以上より、本実施形態に係る光ファイバ装置１は、第１の光Ｌ１と、前記第１の光Ｌ１の波長と異なる波長である第２の光Ｌ２とが、第１の面３１ａに入射される少なくとも一つの光ファイバ３１と、前記第２の光Ｌ２を検出する検出部４３と、を備え、前記光ファイバ３１は、前記第１の光Ｌ１を透過し且つ前記第２の光Ｌ２を反射する反射部３１ｃを第２の面３１ｂに備え、前記検出部４３は、前記反射部３１ｃで反射し且つ前記第１の面３１ａから出射する前記第２の光Ｌ２を検出する。
【００３２】
斯かる構成によれば、光ファイバ３１は、第１の光Ｌ１を透過し且つ第２の光Ｌ２を反射する反射部３１ｃを第２の面３１ｂに備えている。これにより、第１の光Ｌ１と、第１の光Ｌ１の波長と異なる波長である第２の光Ｌ２とが、光ファイバ３１の第１の面３１ａに入射されると、第１の光Ｌ１は、反射部３１ｃを透過する一方、第２の光Ｌ２は、反射部３１ｃで反射し、光ファイバ３１の第１の面３１ａから出射する。
【００３３】
そして、検出部４３は、光ファイバ３１の第１の面３１ａから出射した第２の光Ｌ２を検出する。これにより、第２の光Ｌ２は、光ファイバ３１の第２の面３１ｂから下流側（例えば、画像投影部１０）で外乱の影響を受けることなく、検出部４３で検出されている。したがって、光ファイバ３１の折れ、光ファイバ３１の劣化、光ファイバ３１の脱落等といった光ファイバ３１の異常を検出する精度が低下することを抑制できる。
【００３４】
また、本実施形態に係る光ファイバ装置１は、複数の前記光ファイバ３１，３１の前記第２の面３１ｂ側同士を結束する結束部３２を備え、前記検出部４３は、前記光ファイバ３１の前記第１の面３１ａから出射する前記第２の光Ｌ２を、各光ファイバ３１ごとに検出するために、複数備えられる、という構成である。
【００３５】
斯かる構成によれば、結束部３２は、複数の光ファイバ３１，３１の第２の面３１ｂ側同士を結束している。そして、反射部３１ｃが各光ファイバ３１の第２の面３１ｂに配置されているため、各光ファイバ３１の第１の面３１ａから入射された第２の光Ｌ２，Ｌ２同士が混ざることを防止している。
【００３６】
さらに、検出部４３は、複数備えられているため、光ファイバ３１の第１の面３１ａから出射する第２の光Ｌ２は、各検出部４３で、各光ファイバ３１ごとに検出されている。これにより、第２の面３１ｂ側同士が結束されている複数の光ファイバ３１，３１に対して、各光ファイバ３１ごとに異常を検出することができる。
【００３７】
また、本実施形態に係る光ファイバ装置１においては、前記第１の光Ｌ１は、可視光であって、前記第２の光Ｌ２は、前記第１の光Ｌ１の波長よりも長い波長である赤外光である、という構成である。
【００３８】
斯かる構成によれば、第１の光Ｌ１は、可視光であって、第２の光Ｌ２は、赤外光である。ここで、光Ｌ１，Ｌ２は、光ファイバ３１を通過する際に、減衰する。斯かる減衰は、一般的に、波長が短いほど大きい。したがって、第２の光Ｌ２は、赤外光であって、第１の光Ｌ１である可視光の波長よりも長い波長であるため、光ファイバ３１を通過する際の減衰を抑制することができる。
【００３９】
これにより、第２の光源部４２の出力（即ち、出射する第２の光Ｌ２の光量）を小さくすることができる。また、同じ光源ユニット４に対して、光ファイバ３１の長さを変更した（特に、光ファイバ３１の長さを長くした）場合でも、第２の光Ｌ２の減衰が小さいため、光ファイバ３１を異常と判断する閾値の調整が必要である頻度を少なくすることができる。
【００４０】
また、本実施形態に係る光ファイバ装置１は、前記第１の光Ｌ１を出射する第１の光源部４１と、前記第２の光Ｌ２を出射する第２の光源部４２と、を備える、という構成である。
【００４１】
また、本実施形態に係る光ファイバ装置１は、電気回路を有する基板４４を備え、前記第１の光源部４１は、前記第１の光Ｌ１を出射する半導体レーザ４１ａを備え、前記第２の光源部４２は、前記第２の光Ｌ２を出射する半導体レーザ４２ａを備え、前記検出部４３は、前記第２の光Ｌ２を受ける受光素子４３ａを備え、前記各半導体レーザ４１ａ，４２ａと前記受光素子４３ａとは、同一の基板４４に搭載される、という構成である。
【００４２】
斯かる構成によれば、第１の光源部４１は、第１の光Ｌ１を出射する半導体レーザ４１ａを備えており、第２の光源部４２は、第２の光Ｌ２を出射する半導体レーザ４２ａを備えており、検出部４３は、第２の光Ｌ２を受ける受光素子４３ａを備えている。そして、各半導体レーザ４１ａ，４２ａと受光素子４３ａとは、同一の基板４４に搭載されている。これにより、例えば、各半導体レーザ４１ａ，４２ａ及び受光素子４３ａに対する配線を、該基板４４に対して行えばよいため、配線を簡素化することができる。
【００４３】
また、本実施形態に係る光ファイバ装置１は、前記光ファイバ３１の前記反射部３１ｃを透過した前記第１の光Ｌ１を、投射光として用いる画像投影装置である。
【００４４】
＜第２実施形態＞
次に、光ファイバ装置１における第２の実施形態について、図４及び図５を参酌して説明する。なお、図４及び図５において、図１〜図３の符号と同一の符号を付した部分は、第１実施形態と略同様の構成又は略同様の機能（作用）を有する要素を表し、その説明は、繰り返さない。
【００４５】
光源ユニット４は、第３の光Ｌ３を出射する第３の光源部４６を備えている。該第３の光源部４６は、第３の光Ｌ３を出射する半導体レーザ４６ａを備えている。そして、各半導体レーザ４１ａ，４２ａ，４６ａと受光素子４３ａとは、同一の基板４４に搭載されている。
【００４６】
第３の光Ｌ３は、第１の光Ｌ１の波長よりも長い波長で且つ第２の光Ｌ２よりも短い波長の光としている。本実施形態においては、第３の光Ｌ３は、赤外光である。例えば、各光源装置２において、第２の光源部４２は、波長が１２００〜２０００ｎｍである光を出射し、第３の光源部４６は、波長が７８０〜１２００ｎｍである光を出射している。
【００４７】
図４及び図５において、第３の光Ｌ３は、一点鎖線で示している。なお、第３の光Ｌ３は、第１の光Ｌ１の波長よりも長い波長で且つ第２の光Ｌ２よりも長い波長の光としてもよい。
【００４８】
光ファイバユニット３は、光ファイバ３１を一つ備えている。該光ファイバ３１の第２の面３１ｂに配置される反射部３１ｃは、第１の光Ｌ１と第３の光Ｌ３とを透過し且つ第２の光Ｌ２を反射するように、構成されている。
【００４９】
画像投影部１０は、第１の光Ｌ１と第３の光Ｌ３とを分離する分離光学系１６と、分離光学系１６で分離された第３の光Ｌ３を検出する第２の検出部１７とを備えている。本実施形態においては、光源装置２の検出部４３を、第１の検出部４３と呼ぶ。
【００５０】
分離光学系１６は、画像光学系１３のコリメータレンズ１３ｄと偏光ビームスプリッタ１３ａ（又は反射ミラ１３ｅ）との間に配置されている（図１参照）。本実施形態においては、分離光学系１６は、第１の光Ｌ１を透過し且つ第３の光Ｌ３を反射するダイクロイックミラーとし、第２の検出部１７は、受光素子としている。
【００５１】
次に、本実施形態に係る光ファイバ装置１の光ファイバ３１の異常を検出する方法について、図４及び図５を参酌して、説明する。
【００５２】
図４に示すように、各第１の光源部４１から出射された第１の光Ｌ１と、第２の光源部４２から出射された第２の光Ｌ２と、第３の光源部４６から出射された第３の光Ｌ３とは、光学系４５を経由して、光ファイバ３１の第１の面３１ａに入射される。そして、光ファイバ３１に入射された光Ｌ１，Ｌ２，Ｌ３は、光ファイバ３１の内部を伝搬され、光ファイバ３１の第２の面３１ｂに配置される反射部３１ｃに到達する。
【００５３】
このとき、図５に示すように、第１の光Ｌ１と第３の光Ｌ３とは、反射部３１ｃを透過し、画像投影部１０に向けて出射する。一方、第２の光Ｌ２は、反射部３１ｃで反射され、光ファイバ３１の第１の面３１ａから出射される。その後、該第２の光Ｌ２は、収束レンズ４５ｃを透過し、該透過した第２の光Ｌ２の一部は、反射ミラー４５ｄで反射された後、第１の検出部４３で受光される。
【００５４】
また、反射部３１ｃを透過した第１の光Ｌ１と第３の光Ｌ３とは、画像投影部１０に入射され、コリメータレンズ１３ｄを透過した後に分離光学系１６に入射される。このとき、第１の光Ｌ１は、分離光学系１６を透過し、画像光学系１３に向けて出射する。即ち、画像投影装置である光ファイバ装置１は、光ファイバ３１の反射部３１ｃを透過し且つ分離光学系１６から画像光学系１３の偏光ビームスプリッタ１３ａ（又は反射ミラー１３ｄ）に向けて出射される第１の光Ｌ１を、投射光として用いている。一方、第３の光Ｌ３は、分離光学系１６で反射された後、第２の検出部１７で受光される。
【００５５】
これにより、光ファイバ３１が折れたり、光ファイバ３１が劣化したり、光ファイバユニット３の光ファイバ３１の一方側（第１の面３１ａ側）の端部が、本体部５の接続部５ａから外れたりした場合には、第１の検出部４３で検出する第２の光Ｌ２の光量が低下すると共に、第２の検出部１７で検出する第３の光Ｌ３の光量が低下する。したがって、このような光ファイバ３１の異常を検出することができる。
【００５６】
さらに、光ファイバユニット３の光ファイバ３１の他方側（第２の面３１ｂ側）の端部が、画像投影本体部１５の接続部１５ａから外れた場合には、第１の検出部４３で検出する第２の光Ｌ２の光量は、低下しないが、第２の検出部１７で検出する第３の光Ｌ３の光量は、低下する。したがって、このような光ファイバ３１の異常をさらに検出することもできる。
【００５７】
そして、制御部１２は、第１の検出部４３で検出する第２の光Ｌ２の光量と第２の検出部１７で検出する第３の光Ｌ３の光量とに基づいて、光ファイバ３１の正常又は異常を判定する。具体的には、制御部１２は、各検出部４３，１７で検出する光Ｌ２，Ｌ３の光量が両方とも低下した場合には、光ファイバ３１が折れたり、光ファイバ３１が劣化したり、光ファイバユニット３の光ファイバ３１の一方側（第１の面３１ａ側）の端部が、本体部５の接続部５ａから外れたという第１の異常と判定し、第１の検出部４３で検出する第２の光Ｌ２の光量が低下せず且つ第２の検出部１７で検出する第３の光Ｌ３の光量が低下した場合には、光ファイバユニット３の光ファイバ３１の他方側（第２の面３１ｂ側）の端部が、画像投影本体部１５の接続部１５ａから外れたという第２の異常と判定する。
【００５８】
なお、光ファイバ装置は、上記した実施形態の構成に限定されるものではなく、また、上記した作用効果に限定されるものではない。また、光ファイバ装置は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５９】
上記第１実施形態に係る光ファイバ装置１においては、光ファイバユニット３は、二つの光ファイバ３１，３１を備えている、という構成であり、上記第２実施形態に係る光ファイバ装置１においては、光ファイバユニット３は、一つの光ファイバ３１を備えている、という構成である。しかしながら、光ファイバ装置は、斯かる構成に限られない。例えば、光ファイバ装置においては、光ファイバユニット３は、三つ以上の光ファイバ３１を備えている、という構成でもよい。
【００６０】
また、上記実施形態に係る光ファイバ装置１においては、検出部４３，１７は、受光する光量を検出する、所謂、光センサである、という構成である。しかしながら、光ファイバ装置は、斯かる構成に限られない。例えば、光ファイバ装置においては、検出部４３，１７は、受光する熱量を検出する、所謂、熱センサである、という構成でもよい。
【００６１】
また、上記実施形態に係る光ファイバ装置１においては、第１の光Ｌ１は、可視光であり、第２の光Ｌ２（及び第３の光Ｌ３）は、赤外光である、という構成である。しかしながら、光ファイバ装置は、斯かる構成に限られない。例えば、光ファイバ装置においては、第１の光Ｌ１は、紫外光及び可視光の少なくとも一方である、という構成でもよい。また、例えば、光ファイバ装置においては、第２の光Ｌ２（及び／又は第３の光Ｌ３）は、紫外光である、という構成でもよく、また、第１の光Ｌ１の波長と異なる波長である可視光である、という構成でもよい。
【００６２】
また、上記実施形態に係る光ファイバ装置１においては、画像投影部１０は、第１〜第３の色の光を分離した状態で入射される、という構成である。しかしながら、光ファイバ装置は、斯かる構成に限られない。例えば、光ファイバ装置においては、画像投影部１０は、第１〜第３の色の光を合成された状態で入射され、当該合成された光を、第１〜第３の色の光に分離した後、画像光学系１３に入射させる、という構成でもよい。
【００６３】
また、上記実施形態に係る光ファイバ装置１は、画像投影装置である、という構成である。しかしながら、光ファイバ装置は、斯かる構成に限られない。例えば、光ファイバ装置は、光を用いて露光を行う露光装置である、という構成でもよい。
【００６４】
また、光ファイバ装置においては、第２の光源部４２及び第３の光源部４６は、連続的に光Ｌ２，Ｌ３を出射する、という構成でもよく、また、断続的に光Ｌ２，Ｌ３を出射する、という構成でもよい。
【００６５】
また、光ファイバ装置においては、例えば、装置が起動する際に、第２の光源部４２が小さい出力で第２の光Ｌ２を出射し、その後、制御部１２が、光ファイバ３１が正常であると判定した後に、各光源部４１，４２（，４６）は、定格の出力で各光Ｌ１，Ｌ２（，Ｌ３）を出力する、という構成でもよい。
【符号の説明】
【００６６】
１…光ファイバ装置、２…光源装置、２Ｒ…第１の光源装置、２Ｇ…第２の光源装置、２Ｂ…第３の光源装置、３…光ファイバユニット、４…光源ユニット、５…本体部、５ａ…接続部、１０…画像投影部、１１…電源、１２…制御部、１３…画像光学系、１３ａ…偏光ビームスプリッタ、１３ｂ…空間変調素子、１３ｃ…ダイクロイックプリズム、１３ｄ…コリメータレンズ、１３ｅ…反射ミラー、１４…投影光学系、１５…画像投影本体部、１５ａ…接続部、１６…分離光学系、１７…第２の検出部、３１…光ファイバ、３１ａ…第１の面、３１ｂ…第２の面、３１ｃ…反射部、３２…結束部、４１…第１の光源部、４１ａ…半導体レーザ、４２…第２の光源部、４２ａ…半導体レーザ、４３…（第１の）検出部、４３ａ…受光素子、４４…基板、４５…光学系、４５ａ…コリメータレンズ、４５ｂ…反射ミラー、４５ｃ…収束レンズ、４５ｄ…反射ミラー、４６…第３の光源部、４６ａ…半導体レーザ、１００…スクリーン、Ｌ１…第１の光、Ｌ２…第２の光、Ｌ３…第３の光
【図１】
2016071040.tif 000003
【図２】
2016071040.tif 000004
【図３】
2016071040.tif 000005
【図４】
2016071040.tif 000006
【図５】
2016071040.tif 000007